(57)【特許請求の範囲】
【請求項１】
本体に入力された映像について、アスペクト比を検出するアスペクト比検出手段と、
上記アスペクト比検出手段により検出されたアスペクト比が４対３であれば、この映像の左右両側にブランクを付加し、アスペクト比を１６対９にした映像を作成する第１のブランク付加手段と、
上記アスペクト比検出手段により検出されたアスペクト比が１６対９であれば、この映像の上下両側にブランクを付加し、アスペクト比を４対３にした映像を作成する第２のブランク付加手段と、
上記第１のブランク付加手段、または上記第２のブランク付加手段の一方を有効にし、他方を無効にする設定手段と、
上記設定手段により有効にされた一方のブランク付加手段がアスペクト比を変更した映像を出力する出力手段と、を備えた映像出力装置であって、
上記本体に入力された映像について、左右両側の所定の範囲の映像が一様な映像であるかどうか、および上下両側における所定の範囲の映像が一様な映像であるかどうかを検出するブランク映像検出手段と、
上記本体に入力された映像について、左右両側、または上下両側の所定の範囲の輝度を検出する輝度検出手段と、を備えるとともに、
上記ブランク付加手段は、上記ブランク映像検出手段が左右両側の所定の範囲の映像、または上下両側の所定の範囲の映像が一様な映像であることを検出した場合、付加するブランクの輝度、および色を、この一様な映像の輝度、および色に合わせ、
反対に、上記ブランク映像検出手段が左右両側の所定の範囲の映像、および上下両側の所定の範囲の映像が一様な映像でないことを検出した場合、上記第１のブランク付加手段は、上記輝度検出手段が検出した上記本体に入力された映像の左右両側の所定の範囲の輝度に応じて、上記本体に入力された映像の左右両側に付加するブランクの輝度を調整し、上記第２のブランク付加手段は、上記輝度検出手段が検出した上記本体に入力された映像の上下両側の所定の範囲の輝度に応じて、上記本体に入力された映像の上下両側に付加するブランクの輝度を調整する映像出力装置。
【請求項２】
本体に入力された映像について、アスペクト比を検出するアスペクト比検出手段と、
上記アスペクト比検出手段により検出されたアスペクト比が４対３であれば、この映像の左右両側にブランクを付加し、アスペクト比を１６対９にした映像を作成するブランク付加手段と、
上記ブランク付加手段がアスペクト比を１６対９にした映像を出力する出力手段と、を備えた映像出力装置において、
本体に入力された映像について、上下両側の所定の範囲の映像が一様な映像であるかどうかを検出するブランク映像検出手段と、
上記本体に入力された映像について、左右両側の所定の範囲の輝度を検出する輝度検出手段と、を備えるとともに、
上記ブランク付加手段は、上記ブランク映像検出手段が上下両側の所定の範囲の映像が一様な映像であることを検出した場合、この一様な映像に応じて、上記本体に入力された映像の左右両側に付加するブランクの輝度、および色を調整し、反対に上記ブランク映像検出手段が上下両側における所定の範囲の映像が一様な映像でないことを検出した場合、上記輝度検出手段が検出した上記本体に入力された映像における左右両側の所定の範囲の輝度に応じて、上記本体に入力された映像の左右両側に付加するブランクの輝度を調整する映像出力装置。
【請求項３】
上記ブランク付加手段は、上記ブランク映像検出手段が上下両側の所定の範囲の映像が一様な映像であることを検出した場合、付加するブランクの輝度、および色を、この一様な映像の輝度、および色に合わせる請求項２に記載の映像出力装置。
【請求項４】
本体に入力された映像について、アスペクト比を検出するアスペクト比検出手段と、
上記アスペクト比検出手段により検出されたアスペクト比が１６対９であれば、この映像の上下両側にブランクを付加し、アスペクト比を４対３にした映像を作成するブランク付加手段と、
上記ブランク付加手段がアスペクト比を４対３にした映像を出力する出力手段と、を備えた映像出力装置において、
本体に入力された映像について、左右両側の所定の範囲の映像が一様な映像であるかどうか、および上下両側における所定の範囲の映像が一様な映像であるかどうかを検出するブランク映像検出手段と、
上記本体に入力された映像について、上下両側の所定の範囲の輝度を検出する輝度検出手段と、を備えるとともに、
上記ブランク付加手段は、上記ブランク映像検出手段が左右両側の所定の範囲の映像、または上下両側の所定の範囲の映像が一様な映像であることを検出した場合、この一様な映像に応じて、上記本体に入力された映像の上下両側に付加するブランクの輝度、および色を調整し、反対に上記ブランク映像検出手段が左右両側の所定の範囲の映像、および上下両側の所定の範囲の映像が一様な映像でないことを検出した場合、上記輝度検出手段が検出した上記本体に入力された映像における上下両側の所定の範囲の輝度に応じて上記本体に入力された映像の上下両側に付加するブランクの輝度を調整する映像出力装置。
【請求項５】
上記ブランク付加手段は、上記ブランク映像検出手段が左右両側の所定の範囲の映像、または上下両側の所定の範囲の映像が一様な映像であることを検出した場合、付加するブランクの輝度、および色を、この一様な映像の輝度、および色に合わせる請求項４に記載の映像出力装置。
【発明の詳細な説明】
【０００１】
【発明の属する技術分野】
この発明は、入力された映像について、左右両側、または上下両側にブランクを付加し、アスペクト比を変更した映像を出力する映像出力装置に関する。
【０００２】
【従来の技術】
従来、テレビ放送においては、アスペクト比が４対３や、１６対９の映像で番組が放送されている。また、アスペクト比が１６対９の映像には、アスペクト比が２．３５対１のシネスコサイズの映像の上下両側にブランクを付した映像や、アスペクト比が４対３の映像の左右両側にブランクを付した映像もある。反対に、アスペクト比が４対３の映像には、アスペクト比が１６対９の映像の上下両側にブランクを付した映像もある。
【０００３】
なお、ここで言うブランクとは一様な映像であり、例えば黒やグレー一色の一様な映像である。
【０００４】
また、表示画面のアスペクト比を１６対９とした、所謂ワイドテレビが普及している。ワイドテレビには、入力された映像のアスペクト比が４対３であれば、この映像の左右両側に適当な大きさのブランクを付加し、アスペクト比を１６対９にした映像を出力する映像出力装置を適用したものがある。また、アスペクト比が１６対９である映像（入力映像）の上下両側にブランクを付して、アスペクト比を４対３にした映像（出力映像）を、表示画面のアスペクト比が４対３であるテレビ受像機等に入力する映像出力装置もある。映像出力装置は、入力映像として、テレビ放送信号に限らず、ＤＶＤ装置やビデオデッキ等の他の装置から出力された再生映像信号等も入力可能に構成されている（所謂、外部入力端子を有している。）。
【０００５】
この映像出力装置を利用することにより、表示画面のアスペクト比と、入力された映像のアスペクト比とが、異なる場合に、入力された映像が横方向、または縦方向に伸ばされて、歪んで映像が表示されるのを防止することができる。具体的には、表示画面のアスペクト比が１６対９である装置において、入力されたアスペクト比が４対３の映像が横方向に伸ばされてアスペクト比が１６対９となった映像が表示されたり、反対に表示画面のアスペクト比が４対３である装置において、入力されたアスペクト比が１６対９の映像が縦方向に伸ばされてアスペクト比が４対３になった映像が表示されるの防止できる。
【０００６】
ところで、従来の一般的な映像出力装置は、入力された映像の左右両側、または上下両側につけるブランクの輝度や色を予め設定しておき、この設定されている輝度、色のブランクを入力された映像の左右両側、または上下両側に付加していた。このように、入力映像（ブランクを付加する映像）に関係無く設定された輝度や色のブランクを、この入力映像の左右両側、または上下両側に付加する構成であったため、付加したブランクと、入力映像との境界付近において、輝度の差が大きくなって、この境界付近で映像が歪むという問題があった。また、上述したように、入力映像にブランクが付加されている場合、入力映像に対して、この入力映像に元々付加されていたブランクと色彩、や輝度が異なるブランクが付加され、不自然な映像が表示されるという問題があった。
【０００７】
なお、第１の画像と第２の画像とを隣接して表示する際に、境界部分の色合いを調整して、境界部分における映像の歪みを防止する技術については、すでに提案されている（例えば、特許文献１、２）。
【０００８】
【特許文献１】
特許第２７１３６７７号公報
【特許文献２】
特開平８−２１１８６０号公報
【０００９】
【発明が解決しようとする課題】
しかしながら、入力された入力映像の左右両側、または上下両側にブランクを付加して、アスペクト比を変化させた映像（出力映像）を出力する上述の映像出力装置においては、入力された映像と、付加するブランクとの境界付近において生じる映像の歪みや、入力映像に元々付加されていたブランクと、色彩や輝度が異なるブランクを付した不自然な映像が表示されるのを防止するものは、これまで提案されていなかった。
【００１０】
この発明の目的は、入力された入力映像について、この入力映像の左右両側、または上下両側にブランクを付加して、アスペクト比を変化させた出力映像を生成し、出力するときに、入力された映像と、付加するブランクとの境界付近における歪みを防止する映像出力装置を提供することにある。
【００１１】
また、この発明の目的は、入力された入力映像について、この映像の左右両側、または上下両側にブランクを付加して、アスペクト比を変化させた出力映像を生成し、出力するときに、入力映像に元々付加されているブランクと、色彩や輝度が同じブランクを付加することで、不自然な映像の表示を防止する映像出力装置を提供することにある。
【００１２】
【課題を解決するための手段】
この発明の映像出力装置は、上記目的を達成するために以下の構成を備えている。
【００１３】
（１）本体に入力された映像について、アスペクト比を検出するアスペクト比検出手段と、
上記アスペクト比検出手段により検出されたアスペクト比が４対３であれば、この映像の左右両側にブランクを付加し、アスペクト比を１６対９にした映像を作成するブランク付加手段と、
上記ブランク付加手段がアスペクト比を１６対９にした映像を出力する出力手段と、を備えた映像出力装置において、
本体に入力された映像について、上下両側の所定の範囲の映像が一様な映像であるかどうかを検出するブランク映像検出手段と、
上記本体に入力された映像について、左右両側の所定の範囲の輝度を検出する輝度検出手段と、を備えるとともに、
上記ブランク付加手段は、上記ブランク映像検出手段が上下両側の所定の範囲の映像が一様な映像であることを検出した場合、この一様な映像に応じて、上記本体に入力された映像の左右両側に付加するブランクの輝度、および色を調整し、反対に上記ブランク映像検出手段が上下両側における所定の範囲の映像が一様な映像でないことを検出した場合、上記輝度検出手段が検出した上記本体に入力された映像における左右両側の所定の範囲の輝度に応じて、上記本体に入力された映像の左右両側に付加するブランクの輝度を調整する。
【００１４】
この構成ではアスペクト比検出手段が入力された映像（入力映像）のアスペクト比を検出し、ここで検出されたアスペクト比が４対３であれば、ブランク付加手段が入力された映像の左右両側にブランクを付加し、アスペクト比を１６対９とした映像（出力映像）を生成する。出力手段は、ブランク付加手段により生成された、アスペクト比が１６対９の出力映像を出力する。
【００１５】
なお、入力された映像のアスペクト比が１６対９である場合には、この映像をそのまま出力すればよい。
【００１６】
したがって、出力部から出力された映像を表示する表示画面のアスペクト比が１６対９である場合、入力画像のアスペクト比が４対３であっても横方向に伸ばされて歪んだ映像が表示されることがない。
【００１７】
また、ブランク付加手段は、ブランク映像検出手段により入力映像の上下両側の所定の範囲の映像が一様な映像、すなわちブランク、であることが検出されると、この一様な映像に応じて左右両側に付加するブランクの輝度、および色を調整する。また、ブランク映像検出手段により入力映像の上下両側の所定の範囲の映像が一様な映像でないことが検出されると、輝度検出手段により検出された入力映像の左右両側の所定の範囲の輝度に応じて、この入力映像に付加するブランクの輝度を調整する。
ブランク映像検出手段により上下両側の所定の範囲の映像が一様な映像（ブランク）であることが検出された入力映像は、例えば、アスペクト比が１６対９の映像の上下両側にブランクを付加してアスペクト比を４対３にした映像である。入力映像が上下両側にブランクが付加された映像である場合には、例えばこの入力映像に元々付加されていたブランクと、同じ色、同じ輝度のブランクを左右両側に付加する。したがって、自然な映像を表示させることができ、視聴者に違和感を感じさせることがない。
また、ブランク映像検出手段により入力映像の上下両側の所定の範囲の映像が一様な映像（ブランク）でないことが検出された場合には、例えば、入力映像と付加するブランクとの境界付近における輝度の差が所定量を超えないように、入力映像に付加するブランクの輝度を調整する。したがって、入力映像にブランクを付加した場合に、入力映像とブランクとの境界付近における輝度の差が抑えられ、この境界付近において映像が歪むのを防止できる。
【００１８】
（２）本体に入力された映像について、アスペクト比を検出するアスペクト比検出手段と、
上記アスペクト比検出手段により検出されたアスペクト比が１６対９であれば、この映像の上下両側にブランクを付加し、アスペクト比を４対３にした映像を作成するブランク付加手段と、
上記ブランク付加手段がアスペクト比を４対３にした映像を出力する出力手段と、を備えた映像出力装置において、
本体に入力された映像について、左右両側の所定の範囲の映像が一様な映像であるかどうか、および上下両側における所定の範囲の映像が一様な映像であるかどうかを検出するブランク映像検出手段と、
上記本体に入力された映像について、上下両側の所定の範囲の輝度を検出する輝度検出手段と、を備えるとともに、
上記ブランク付加手段は、上記ブランク映像検出手段が左右両側の所定の範囲の映像、または上下両側の所定の範囲の映像が一様な映像であることを検出した場合、この一様な映像に応じて、上記本体に入力された映像の上下両側に付加するブランクの輝度、および色を調整し、反対に上記ブランク映像検出手段が左右両側の所定の範囲の映像、および上下両側の所定の範囲の映像が一様な映像でないことを検出した場合、上記輝度検出手段が検出した上記本体に入力された映像における上下両側の所定の範囲の輝度に応じて上記本体に入力された映像の上下両側に付加するブランクの輝度を調整する。
【００１９】
この構成では、上記（１）と反対に、アスペクト比検出手段により検出された入力映像のアスペクト比が１６対９であれば、ブランク付加手段が入力映像の上下両側にブランクを付加し、アスペクト比を４対３とした出力映像を生成する。出力手段は、ブランク付加手段により生成された、アスペクト比が４対３の出力映像を出力する。
【００２０】
なお、入力映像のアスペクト比が４対３である場合には、この入力映像が出力される。
【００２１】
したがって、出力部から出力された映像を表示する表示画面のアスペクト比が４対３である場合、入力画像のアスペクト比が１６対９であっても縦方向に伸ばされて歪んだ映像が表示されることがない。
【００２２】
また、ブランク付加手段は、ブランク映像検出手段により入力映像の左右両側の所定の範囲の映像、または上下両側の所定の範囲の映像が一様な映像、すなわちブランク、であることが検出されると、この一様な映像に応じて上下両側に付加するブランクの輝度、および色を調整する。また、ブランク映像検出手段により入力映像の左右両側の所定の範囲の映像、および上下両側の所定の範囲の映像が一様な映像でないことが検出されると、輝度検出手段により検出された入力映像の上下両側の所定の範囲の輝度に応じて、この入力映像に付加するブランクの輝度を調整する。
ブランク映像検出手段により左右両側の所定の範囲の映像が一様な映像（ブランク）であることが検出された入力映像は、例えば、アスペクト比が４対３である映像の左右両側にブランクを付加してアスペクト比を１６対９にした映像である。また、上下両側の所定の範囲の映像が一様な映像（ブランク）であることが検出された入力映像は、アスペクト比が２．３５対１の映像（所謂、シネスコサイズの映像）の上下両側にブランクを付加してアスペクトを１６対９にした映像である。入力映像が左右両側、または上下両側にブランクが付加された映像である場合には、例えばこの入力映像に元々付加されていたブランクと、同じ色、同じ輝度のブランクを左右両側に付加する。したがって、上記（１）と同様に、自然な映像を表示させることができ、視聴者に違和感を感じさせることがない。
また、ブランク映像検出手段により入力映像の左右両側の所定の範囲の映像、および上下両側の所定の範囲の映像が一様な映像（ブランク）でないことが検出された場合には、例えば、入力映像と付加するブランクとの境界付近における輝度の差が所定量を超えないように、入力映像に付加するブランクの輝度を調整する。したがって、入力映像にブランクを付加した場合に、上記（１）と同様に、入力映像とブランクとの境界付近における輝度の差が抑えられ、この境界付近において映像が歪むのを防止できる。
【００２６】
【発明の実施の形態】
以下、この発明の実施形態である映像出力装置について説明する。
【００２７】
図１は、この発明の実施形態である映像出力装置の機能構成を示すブロック図である。この実施形態の映像出力装置１は、本体の動作を制御する制御部２と、映像の入力（入力映像）を受け付ける映像入力部３と、映像入力部３に入力された入力映像のアスペクト比を検出するアスペクト比検出部４と、入力映像の上下両側および左右両側の所定の範囲の輝度や色彩を検出するブランク検出部５と、入力された映像の左右両側、または上下両側にブランクを付加するブランク付加部６と、映像（出力映像）を出力する出力部７と、本体に対して入力操作を行う操作部８と、を備えている。出力映像とは、入力映像、入力映像の左右両側にブランクを付加した映像、または入力映像の上下両側にブランクを付加した映像のいずれかである。
【００２８】
映像入力部３は、アンテナ（不図示）で受信したテレビ放送信号から選択されているチャンネルのテレビ放送信号を抽出するチューナ機能、ＭＰＥＧ方式で圧縮されている映像信号をデコードするデコーダ機能、入力されたアナログ映像信号をディジタル信号に変換するＡ／Ｄ変換機能等を有している。映像入力部３に入力される映像信号は、テレビ放送信号に限らず、ＤＶＤプレイヤ、ビデオデッキ等から出力された再生映像信号等、他の種類の映像信号であってもよい。また、入力される映像信号は、動画であってもよいし、静止画であってもよい。
【００２９】
アスペクト比検出部４は、入力映像のアスペクト比を検出する。ブランク検出部５は、入力映像について、左右両側、上下両側にブランクが付加されているかどうか、および左右両側、上下両側の輝度を検出する。ブランク検出部５が、この発明で言うブランク映像検出手段、および輝度検出手段に相当する。ブランク付加部６は、入力された映像の左右両側、または上下両側にブランクを付加するとともに、付加したブランクの色、および輝度を調整する。出力部７は、ディジタルの映像信号をアナログの映像信号に変換して出力するＤ／Ａ変換機能を有している。出力部７には、テレビ受像機等、表示画面を有する装置が接続される。操作部８には、本体に対して入力操作を行うキーや、図示していないリモコン装置から送信されてきた制御コードを受信するための受信回路が設けられている。
【００３０】
以下、この実施形態の映像出力装置の動作について説明する。この実施形態の映像出力装置は、出力部７に接続されている装置の表示画面のアスペクト比が１６対９である場合に好ましい第１のモード、出力部７に接続されている装置の表示画面のアスペクト比が４対３である場合に好ましい第２のモード、のどちらかで動作する。操作部８においてユーザが所定の操作を行って、第１のモード、または第２のモードの一方を選択する。ここでは、出力部７に接続されている装置の表示画面のアスペクト比が１６対９である場合に第１のモードが選択され、出力部７に接続されている装置の表示画面のアスペクト比が４対３である場合に第２のモードが選択されるとして、以下説明する。
【００３１】
まず、図２を参照しながら、第１のモードについて説明する。図２は、第１のモードが選択されている映像出力装置の動作を示すフローチャートである。
【００３２】
映像出力装置１は、アスペクト比検出部４で映像入力部３に入力された入力映像のアスペクト比を検出する（ｓ１）。映像出力装置１は、ｓ１で検出したアスペクト比が、４対３であるか、１６対９であるかを判定する（ｓ２）。映像出力装置１は、ｓ２で入力映像のアスペクト比が１６対９であると判定すると、この入力映像を、ブランク検出部５、ブランク付加部６を介することなく、出力部７から出力映像として出力する（ｓ９）。
【００３３】
この場合、出力映像のアスペクト比は、入力映像と同じ１６対９である。出力部７には、表示画面のアスペクト比が１６対９である表示装置が接続されているので、出力部７から出力された出力映像が横方向や、縦方向に伸ばされて、表示されることはない。このため、表示された映像に歪みが生じることがない。また、映像入力部３に入力された入力映像が、左右両側、または上下両側にブランクが付加された映像であっても、出力映像が横方向や、縦方向に伸ばされることなく表示されるので、表示された映像に歪みが生じることはない。
【００３４】
一方、ｓ２で入力された映像のアスペクト比が４対３であると判定すると、ブランク検出部５において、この入力された映像の上下両側における所定の範囲について、一様な映像であるかどうかを判定する（ｓ３）。ｓ３では、入力された映像が、上下両側にブランクが付加されていない映像（図３（Ａ）参照）であるか、上下両側にブランクが付加された映像（図３（Ｂ）参照）であるかを判定している。すなわち、アスペクト比が１６対９や、２．３５対１の映像の上下にブランクを付加して、アスペクト比を４対３にした、図３（Ｂ）に示す映像であるかどうかを判定している。
【００３５】
映像出力装置１は、ｓ３で上下両側における所定の範囲の映像が一様な映像（ブランク）でないと判定すると、この入力映像について左右両側の所定の範囲の輝度の平均を検出する（ｓ４）。ｓ４で輝度の平均を検出する範囲は、図４（Ａ）に示す範囲である。図４（Ａ）に示すように、この範囲には映像の上側の領域を含ませていない。これは、この領域に現在時刻や、放送局のロゴ等、種々の情報が表示される可能性が高いため、この領域を外すことにより、映像本体の輝度の検出精度を向上させている。
【００３６】
映像出力装置１は、ｓ４で検出した輝度の平均に応じて、この入力映像の左右両側に付加するブランクの輝度を決定し（ｓ５）、ここで決定した輝度のブランクを入力映像の左右両側に付加することで、アスペクト比を１６対９とした出力映像（図４（Ｂ）参照）を生成する（ｓ６）。
【００３７】
ｓ５における輝度の決定処理について図５を参照しながら説明する。映像出力装置１は、検出した輝度の平均が予め設定された値Ａになるまで、付加するブランクの輝度をＢに決定し、検出した輝度の平均が予め設定された値Ａを超えると、検出した輝度の平均との差がＡとなるように付加するブランクの輝度を決定する。したがって、付加するブランクの輝度と、検出した輝度の平均と、の差がＡを超えることはない。
【００３８】
映像出力装置１は、ｓ６で生成されたアスペクト比１６対９の出力映像を出力する（ｓ９）。ｓ５において、入力映像に付加するブランクの輝度を入力映像に応じて決定しているので、入力映像と、ｓ６で付加したブランクとの境界付近における輝度の差を抑えることができ、表示された映像がこの境界付近において歪むのを防止できる。
【００３９】
また、映像出力装置１は、ｓ３で上下両側における所定の範囲の映像が一様な映像（ブランク）であると判定すると（図３（Ｂ）に示す映像であると判定すると）、入力映像の左右両側に付加するブランクの色、および輝度を入力映像の上下両側に付加されているブランクの色、および輝度に決定し（ｓ７）、ここで決定した輝度のブランクを入力映像の左右両側に付加することで、アスペクト比を１６対９とした出力映像（図６参照）を生成する（ｓ８）。
【００４０】
映像出力装置１は、ｓ８で生成されたアスペクト比１６対９の出力映像を出力する（ｓ９）。ｓ７において、入力映像に付加するブランクの輝度、および色を、入力映像に元々付加されているブランクと同じ輝度、および色としたので、表示された映像に輝度や色が異なる２種類のブランクが存在することがなく、自然な映像を表示させることができる。
【００４１】
次に、図７を参照しながら、第２のモードについて説明する。図７は、第２のモードが選択されている映像出力装置の動作を示すフローチャートである。
【００４２】
上述のように、ここでは出力部７に表示画面のアスペクト比が４対３である表示装置が接続されているものとして説明する。
【００４３】
映像出力装置１は、アスペクト比検出部４で映像入力部３に入力された入力映像のアスペクト比を検出する（ｓ１１）。映像出力装置１は、ｓ１１で検出したアスペクト比が、４対３であるか、１６対９であるかを判定する（ｓ１２）。映像出力装置１は、ｓ１２で入力映像のアスペクト比が４対３であると判定すると、この入力映像を、ブランク検出部５、ブランク付加部６を介することなく、出力部７から出力映像として出力する（ｓ２０）。
【００４４】
この場合、出力映像のアスペクト比は、入力映像と同じ４対３である。出力部７には、表示画面のアスペクト比が４対３である表示装置が接続されているので、出力部７から出力された出力映像が横方向や、縦方向に伸ばされて、表示されることはない。このため、表示された映像に歪みが生じることがない。また、映像入力部３に入力された入力映像が、左右両側、または上下両側にブランクが付加された映像であっても、出力映像が横方向や、縦方向に伸ばされることなく表示されるので、表示された映像に歪みが生じることはない。
【００４５】
一方、ｓ１２で入力された映像のアスペクト比が１６対９であると判定すると、ブランク検出部５において、この入力された映像の左右両側の所定の範囲について、一様な映像であるかどうかを判定するとともに、上下両側の所定の範囲について、一様な映像であるかどうかを判定する（ｓ１３、ｓ１４）。ｓ１３、ｓ１４では、入力された映像が、左右両側、および上下両側にブランクが付加されていない映像（図８（Ａ）参照）であるか、左右両側にブランクが付加されている映像（図８（Ｂ）参照）であるか、上下両側にブランクが付加されている映像（図８（Ｃ）参照）であるか、を判定している。すなわち、入力映像が、アスペクト比が４対３や、２．３５対１の映像の左右両側、または上下両側にブランクを付加して、アスペクト比を１６対９にした、映像であるかどうかを判定している。
【００４６】
映像出力装置１は、ｓ１３、ｓ１４で上下両側における所定の範囲の映像が一様な映像（ブランク）でないと判定すると、この入力映像について上下両側の所定の範囲の輝度の平均を検出する（ｓ１５）。ｓ１５で輝度の平均を検出する範囲は、図９（Ａ）に示す範囲である。
【００４７】
上記第１のモードの動作説明において、映像の上側の領域には現在時刻や、放送局のロゴ等、種々の情報が表示される可能性が高いため、この領域を外すことにより、映像本体の輝度の検出精度を向上させていると説明したが、この現在時刻や、放送局のロゴ等、種々の情報が表示される領域は、映像の上端から少し離れた所であるので、現在時刻や、放送局のロゴ等、が表示される領域については、ｓ１５で輝度の平均を検出する範囲に含まれておらず、映像本体の輝度の検出精度を低下させることはない。
【００４８】
映像出力装置１は、ｓ１５で検出した輝度の平均に応じて、この入力映像の上下両側に付加するブランクの輝度を決定し（ｓ１６）、ここで決定した輝度のブランクを入力映像の上下両側に付加することで、アスペクト比を４対３とした出力映像（図９（Ｂ）参照）を生成する（ｓ１７）。
【００４９】
ｓ１６における輝度の決定処理は、上記ｓ５で説明した処理と同じである。
【００５０】
映像出力装置１は、ｓ１７で生成されたアスペクト比４対３の出力映像を出力する（ｓ２０）。ｓ１６において、入力映像に付加するブランクの輝度を入力映像に応じて決定しているので、入力映像と、ｓ１７で付加したブランクとの境界付近における輝度の差を抑えることができ、表示された映像がこの境界付近において歪むのを防止できる。
【００５１】
また、映像出力装置１は、ｓ１３で左右両側における所定の範囲の映像が一様な映像（ブランク）であると判定すると（図８（Ｂ）に示す映像であると判定すると）、またはｓ１４で上下両側における所定の範囲の映像が一様な映像（ブランク）であると判定すると（図８（Ｃ）に示す映像であると判定すると）、入力映像の左右両側に付加するブランクの色、および輝度を入力映像の左右両側、または上下両側に付加されているブランクの色、および輝度に決定し（ｓ１８）、ここで決定した輝度のブランクを入力映像の上下両側に付加することで、アスペクト比を４対３とした出力映像（図１０、図１１参照）を生成する（ｓ１９）。
【００５２】
映像出力装置１は、ｓ１９で生成されたアスペクト比４対３の出力映像を出力する（ｓ２０）。ｓ１８において、入力映像に付加するブランクの輝度、および色を、入力映像に元々付加されているブランクと同じ輝度、および色としたので、表示された映像に輝度や色が異なる２種類のブランクが存在することがなく、自然な映像を表示させることができる。
【００５３】
このように、この実施形態の映像出力装置１では、入力された映像のアスペクト比にかかわらず、またこの入力された映像を表示させる表示装置における画面のアスペクト比にかかわらず、歪みがなく、自然な映像を表示させることができる。
【００５４】
【発明の効果】
以上のように、この発明によれば、入力されたアスペクト比が４対３の映像に対して、左右両側にブランクを付けるときに、このブランクと映像との境界部分における輝度の差を抑えたので、画面のアスペクト比が１６対９である表示装置においてブランクと映像との境界部分に歪みがない映像を表示させることができる。
【００５５】
また、入力されたアスペクト比が１６対９の映像に対して、上下両側にブランクを付けるときに、このブランクと映像との境界部分における輝度の差を抑えたので、画面のアスペクト比が４対３である表示装置においてブランクと映像との境界部分に歪みがない映像を表示させることができる。
【００５６】
さらに、入力された映像が元々ブランクがついた映像である場合、このブランクと色彩、および輝度が同じブランクを付けるようにしたので、自然で違和感の無い映像を表示させることができる。
【図面の簡単な説明】
【図１】この発明の実施形態である映像出力装置の機能構成を示すブロック図である。
【図２】この発明の実施形態である映像出力装置の第１のモードにおける動作を示すフローチャートである。
【図３】アスペクト比が４対３である入力映像の例を示す図である。
【図４】入力映像の左右両側にブランクを付加する処理を説明する図である。
【図５】入力映像の左右両側に付加するブランクの輝度を決定する処理を説明する図である。
【図６】入力映像の左右両側にブランクを付加する処理を説明する図である。
【図７】この発明の実施形態である映像出力装置の第２のモードにおける動作を示すフローチャートである。
【図８】アスペクト比が１６対９である入力映像の例を示す図である。
【図９】入力映像の上下両側にブランクを付加する処理を説明する図である。
【図１０】入力映像の上下両側にブランクを付加する処理を説明する図である。
【図１１】入力映像の上下両側にブランクを付加する処理を説明する図である。
【符号の説明】
１−映像出力装置
２−制御部
３−映像入力部
４−アスペクト比検出部
５−ブランク検出部
６−ブランク付加部
７−出力部
８−操作部
【図１】
0003664251.tif 000002
【図２】
0003664251.tif 000003
【図３】
0003664251.tif 000004
【図４】
0003664251.tif 000005
【図５】
0003664251.tif 000006
【図６】
0003664251.tif 000007
【図７】
0003664251.tif 000008
【図８】
0003664251.tif 000009
【図９】
0003664251.tif 000010
【図１０】
0003664251.tif 000011
【図１１】
0003664251.tif 000012